(57)【特許請求の範囲】
【請求項１】
通信ネットワークを介して接続された登録者の通信端末から調査対象情報、当該調査対象の比較対象情報、及び評価理由情報を受信する受信手段と、
前記受信手段により受信された調査対象情報、比較対象情報、及び評価理由情報に各々対応する回答欄を設定した調査画面を生成する調査画面生成手段と、
前記調査画面生成手段により生成された調査画面を、前記登録者とは別の回答者の通信端末に送信する送信手段と、
前記調査画面の各回答欄に入力された各回答情報を前記回答者の通信端末から受信して集計する集計手段と、
前記登録者または前記回答者の通信端末からの要求に応じて、前記集計手段により集計された回答情報や集計結果を含む調査情報を提供する調査情報提供手段とを備え、
前記受信手段は、前記回答者の通信端末から更に他の比較対象情報、及び他の評価理由情報を受信し、前記調査画面生成手段は、前記受信手段により回答者の通信端末から受信された他の比較対象情報、及び他の評価理由情報に対応する回答欄を前記調査画面に追加し、前記集計手段は、前記調査画面に追加された各回答欄に入力された各回答情報を更に集計対象とすることを特徴とするデータ処理装置。
【請求項２】
前記調査画面生成手段は、前記調査画面として、前記調査対象と前記比較対象を対決させることを想定して、当該調査対象情報、比較対象情報、及び前記評価理由情報に各々対応する回答欄を設定した対決画面を生成することを特徴とする請求項１記載のデータ処理装置。
【請求項３】
前記集計手段は、前記登録者あるいは回答者の通信端末から登録者あるいは回答者の属性情報を受信し、該属性情報に基づいて前記各回答情報を分類して集計することを特徴とする請求項１または２に記載のデータ処理装置。
【請求項４】
前記集計手段は、前記回答者の通信端末から受信した各回答情報を、前記調査対象が属する分野別に集計することを特徴とする請求項１または２に記載のデータ処理装置。
【請求項５】
前記集計手段は、前記回答者の属性情報、及び前記調査対象が属する分野の相互の関連性に基づいて、前記各回答情報の分類方法及び集計方法を変更することを特徴とする請求項１から４の何れか１に記載のデータ処理装置。
【請求項６】
前記登録者からの前記情報受信、及び前記回答者からの前記情報受信の各処理結果に応じて、登録者及び回答者に価値情報を提供するとともに、登録者と回答者との間で価値情報を交換させる価値情報提供手段を更に備えたことを特徴とする請求項１から４の何れか１に記載のデータ処理装置。
【請求項７】
前記調査対象情報、当該調査対象の比較対象情報、及び評価理由情報を入力させるための入力画面を「タイケツ」という設定で構成し、当該入力画面を前記登録者及び前記回答者の通信端末に送信する入力画面送信手段を更に備えたことを特徴とする請求項１または２に記載のデータ処理装置。
【請求項８】
コンピュータに、通信ネットワークを介して接続された登録者の通信端末から調査対象情報、当該調査対象の比較対象情報、及び評価理由情報を受信する受信機能と、前記受信機能により受信された調査対象情報、比較対象情報、及び評価理由情報に各々対応する回答欄を設定した調査画面を生成する調査画面生成機能と、前記調査画面生成機能により生成された調査画面を、前記登録者とは別の回答者の通信端末に送信する送信機能と、前記調査画面の各回答欄に入力された各回答情報を前記回答者の通信端末から受信して集計する集計機能と、前記登録者または前記回答者の通信端末からの要求に応じて、前記集計機能により集計された回答情報や集計結果を含む調査情報を提供する調査情報提供機能とを備え、
更に、前記受信機能は、前記回答者の通信端末から更に他の比較対象情報、及び他の評価理由情報を受信し、前記調査画面生成機能は、前記受信手段により回答者の通信端末から受信された他の比較対象情報、及び他の評価理由情報に対応する回答欄を前記調査画面に追加し、前記集計機能は、前記調査画面に追加された各回答欄に入力された各回答情報を更に集計対象とすることを実現させるためのプログラム。
【発明の詳細な説明】
【０００１】
【発明の属する技術分野】
本発明は、インターネットを介してデータを収集して処理するデータ処理装置、及びそのデータ処理用のプログラムに関する。
【０００２】
【従来の技術】
従来、企業が消費者から情報を得るためにアンケートが多用されている。例えば、自社の商品に対する消費者の意識を調査するために、複数の質問項目を設定したアンケートを作成して、性別や年齢層、あるいは無作為に抽出した所定数の消費者にアンケートを配布して情報を収集し、その収集した情報を統計処理する等して消費者の意識を分析している。
【０００３】
【発明が解決しようとする課題】
しかしながら、このような従来のアンケートにあっては、以下のような問題があった。
（１）消費者からより多くの情報を得るために、ひとつのアンケートの中に質問が多く設定されている。このため、答える側の当該アンケートに対する回答意欲を削ぎ、回答サンプル数の収集が困難である。
（２）ひとつの商品・サービスに関して細かい情報を得るため、消費者が普段意識していない事についての質問が多くなり、消費者のリアルな意識を収集できる可能性が低い。
（３）ひとりの消費者から繰り返し回答を得ることが困難であり、消費者の嗜好の変化をリアルタイムで把握することが困難である。
（４）アンケートから得られたデータを一元的に管理・集計するには手間がかかる。
（５）従来のアンケートは、調査対象や質問内容が閉鎖的かつ一過性のものであり、消費者同士が調査対象に対して持つ暗黙知を共有できない。また、アンケートを仕掛けた側が、一方的に消費者の情報を収集するだけであり、収集情報が消費者に対して提供されるといったことがなく、情報提供の双方向性が考慮されていない。
（６）単純なアンケートでは、質問項目以外の付加価値を設定しなければ、回答者の回答意欲を維持することが困難である。
【０００４】
本発明の課題は、上記従来のアンケートに対する複数の課題を解決し、かつ、消費者が生活の中で表層的に意識する単純な疑問や比べたいといった意識を、簡単に他の消費者に問いかけて回答の収集を可能にし、また、リアルタイムに収集結果を得ることができるデータ処理装置、及びそのデータ処理プログラムを提供することである。
【０００５】
【課題を解決するための手段】
請求項１記載の発明は、通信ネットワークを介して接続された登録者の通信端末から調査対象情報、当該調査対象の比較対象情報、及び評価理由情報を受信する受信手段と、前記受信手段により受信された調査対象情報、比較対象情報、及び評価理由情報に各々対応する回答欄を設定した調査画面を生成する調査画面生成手段と、前記調査画面生成手段により生成された調査画面を、前記登録者とは別の回答者の通信端末に送信する送信手段と、前記調査画面の各回答欄に入力された各回答情報を前記回答者の通信端末から受信して集計する集計手段と、前記登録者または前記回答者の通信端末からの要求に応じて、前記集計手段により集計された回答情報や集計結果を含む調査情報を提供する調査情報提供手段とを備え、
更に、前記受信手段は、前記回答者の通信端末から更に他の比較対象情報、及び他の評価理由情報を受信し、前記調査画面生成手段は、前記受信手段により回答者の通信端末から受信された他の比較対象情報、及び他の評価理由情報に対応する回答欄を前記調査画面に追加し、前記集計手段は、前記調査画面に追加された各回答欄に入力された各回答情報を更に集計対象とすることを特徴としている。
【０００６】
請求項１記載の発明によれば、登録者の通信端末から受信した調査対象情報、比較対象情報、及び評価理由情報に対応する回答欄を設定した調査画面を生成して登録者とは別の回答者の通信端末に送信し、回答欄に入力された回答を集計し、登録者または回答者からの要求に応じて回答情報や集計結果を含む調査情報を提供する。更に、前記受信手段は、前記回答者の通信端末から更に他の比較対象情報、及び他の評価理由情報を受信し、前記調査画面生成手段は、前記受信手段により回答者の通信端末から受信された他の比較対象情報、及び他の評価理由情報に対応する回答欄を前記調査画面に追加し、前記集計手段は、前記調査画面に追加された各回答欄に入力された各回答情報を更に集計対象とする
したがって、例えば、登録者が提起した調査対象に対する回答者の意見等の回答情報やその集計結果を登録者や回答者に提供でき、調査対象を提起した登録者と回答を入力した回答者とで情報を共有することができる。また、回答者からの要求に応じて、調査画面を送信することにより、調査対象に興味を持っている、つまり回答意欲のある回答者の回答を得ることができるようになる。この場合は、回答サンプル数の収集が容易になり、かつ回答者のリアルな意見を収集できる。また、登録者が調査対象情報、比較対象情報、及び評価理由情報を設定することにより、登録者が環境やシーンに応じた生活の中で表層的に意識する単純な疑問や比べたいといった意識を顕示することができる。また、登録者が問いかけたい時期に調査対象を提起することにより、リアルタイムな情報を収集できる。
さらに、例えば、登録者が提起した調査対象に対する比較対象や評価理由情報を登録者及び回答者から収集できるので、登録者の意見に偏らずに調査対象に対する複数の回答サンプルを得ることができる。
【０００９】
請求項２記載の発明は、請求項１記載のデータ処理装置において、前記調査画面生成手段は、前記調査画面として、前記調査対象と前記比較対象を対決させることを想定して、当該調査対象情報、比較対象情報、及び前記評価理由情報に各々対応する回答欄を設定した対決画面を生成することを特徴としている。
【００１０】
請求項２記載の発明によれば、調査画面では調査対象と比較対象を対決させることを想定した対決画面を生成するので、環境やシーンに応じた生活の中で表層的に意識する単純な疑問や比べたいといった意識についての回答を収集でき、興味深い有効な情報を収集できる。
【００１１】
請求項３記載の発明は、請求項１または２に記載のデータ処理装置において、前記集計手段は、前記登録者あるいは回答者の通信端末から登録者あるいは回答者の属性情報を受信し、該属性情報に基づいて前記各回答情報を分類して集計することを特徴としている。
【００１２】
請求項３記載の発明によれば、登録者や回答者の属性情報を収集し、この属性に基づいて回答情報を分類して集計するので、属性情報に対応する回答情報の傾向を容易につかむことができる。例えば、年代、性別、血液型、既婚・未婚、在住地域等の属性情報が一致するまたは類似する回答者の嗜好等を容易に把握できる。
【００１３】
請求項４記載の発明は、請求項１または２に記載のデータ処理装置において、前記集計手段は、前記回答者の通信端末から受信した各回答情報を、前記調査対象が属する分野別に集計することを特徴としている。
【００１４】
請求項４記載の発明によれば、調査対象が属する分野別に回答情報を集計するので、例えば、回答者や登録者は、興味のある分野についての調査対象に対する回答情報やその集計結果を容易に見つけることができる。
【００１５】
請求項５記載の発明は、請求項１から４の何れかに記載のデータ処理装置において、前記集計手段は、前記回答者の属性情報、及び前記調査対象が属する分野の相互の関連性に基づいて、前記各回答情報の分類方法及び集計方法を変更することを特徴としている。
【００１６】
請求項５記載の発明によれば、回答者の属性情報、及び調査対象が属する分野の相互の関連性に基づいて、各回答情報の分類方法及び集計方法を変更するので、例えば、年代、性別、血液型、既婚・未婚、在住地域等の属性情報が一致するまたは類似する回答者の回答情報を分野毎に比較しやすい形で登録者及び回答者に提供できる。
【００１７】
請求項６記載の発明は、請求項１から４の何れかに記載のデータ処理装置において、前記登録者からの前記情報受信、及び前記回答者からの前記情報受信の各処理結果に応じて、登録者及び回答者に価値情報を提供するとともに、登録者と回答者との間で価値情報を交換させる価値情報提供手段を更に備えたことを特徴としている。
【００１８】
請求項６記載の発明によれば、登録者からの情報受信、及び回答者からの情報受信の各処理結果に応じて、登録者及び回答者に価値情報を提供するとともに、登録者と回答者との間で価値情報を交換させるので、例えば、価値情報として、ポイントや特典等を登録者と回答者との間で交換させることにより、回答者の積極的な参加が期待できる。
【００１９】
請求項７記載の発明は、請求項１または２記載のデータ処理装置において、前記調査対象情報、当該調査対象の比較対象情報、及び評価理由情報を入力させるための入力画面を「タイケツ」という設定で構成し、当該入力画面を前記登録者及び前記回答者の通信端末に送信する入力画面送信手段を更に備えたことを特徴としている。
【００２０】
請求項７記載の発明によれば、入力画面送信手段が前記調査対象情報、当該調査対象の比較対象情報、及び評価理由情報を入力させるための入力画面を「タイケツ」という設定で構成し、当該入力画面を前記登録者及び前記回答者の通信端末に送信することにより、登録者及び回答者に対して興味を持たせ易い情報入力環境を提供できるとともに、従来にないマーケティング情報の収集ツールとしての利用することができる。
【００２１】
【発明の実施の形態】
以下、図を参照して本発明を適用したデータ処理装置１０の実施の形態を詳細に説明する。
【００２２】
まず、構成を説明する。
図１は、本発明を適用したデータ処理装置１０を利用したネットワークシステム１００の全体構成を示す図である。図１に示すように、ネットワークシステム１００は、データ処理装置１０と、複数のユーザ端末２０と、が通信ネットワークＮを介して接続されている。
【００２３】
ここで、通信ネットワークＮは、電話回線網、ＩＳＤＮ回線網、専用線、移動体通信網、通信衛星回線、ＣＡＴＶ回線網等の各種回線網と、それらを接続するインターネットサービスプロバイダや基地局等を含む。
【００２４】
また、図１に示すネットワークシステム１００において、データ処理装置１０は、複数のユーザ端末２０のそれぞれのユーザにより利用される情報収集サービスを提供する。この情報収集サービスを実現するため、データ処理装置１０は、通信ネットワークＮ上に後述する情報収集サイトを開設する。なお、この情報収集サイトでは、ユーザ端末２０の１ユーザにより、聞きたいこと、比べたいこと等の調査対象を提起させ、この調査対象を定量化して一元管理することにより、調査対象に対して興味を持っている人々の嗜好等の意識をデータベースにして管理する。
【００２５】
また、ここで、ユーザ端末２０は、通信ネットワークＮ上に開設される情報収集サイトを利用するユーザにより操作される端末であり、通信ネットワークＮを介してデータ処理装置１０と通信接続し、各種データを送受信するための、例えばモデム（ＭＯＤＥＭ：MOdulator/DEModulator）、ターミナルアダプタ（ＴＡ：Terminal Adapter）、或いは各種移動体通信方式に対応した通信モジュール等の通信手段と、ネットワーク上に公開されたホームページを閲覧するための、例えばＷＷＷブラウザ等のページ閲覧手段と、各種データを入力するための例えばキー入力部及びマウス等のポインティングデバイスを含む入力手段と、これらの各種処理を実行制御するための、例えばＣＰＵ等の制御手段と、各種プログラムやデータを記憶した記憶手段と、を備えた、例えばパーソナルコンピュータ、ＰＤＡ、携帯電話、その他の電子機器である。
なお、図１では、３台のユーザ端末２０が接続された場合を示しているが、これらの接続台数は限定されない。
【００２６】
次いで、図１に示したデータ処理装置１０について説明する。
なお、本実施の形態では、データ処理装置１０が汎用のコンピュータにより構成される例について説明する。
【００２７】
図２は、データ処理装置１０の内部構成を示すブロック図である。
図２において、データ処理装置１０は、ＣＰＵ１１、表示部１２、入力部１３、伝送制御部１４、ＲＡＭ１５、記憶装置１６及び記録媒体１７によって構成されており、記録媒体１７を除く各部はバス１８によって接続されている。
【００２８】
ＣＰＵ（Central Processing Unit）１１は、記憶装置１６内の記録媒体１７に記憶されている当該データ処理装置１０に対応する各種アプリケーションプログラムの中から指定されたアプリケーションプログラムをＲＡＭ１５内のワークメモリエリアに格納し、ＲＡＭ１５内に格納したアプリケーションプログラムに従って各種処理を実行し、その処理結果をＲＡＭ１５内のワークメモリエリアに格納するとともに、表示部１２に表示する。そして、ワークメモリエリアに格納した処理結果を記憶装置１６内の記録媒体１７の保存先に保存する。
【００２９】
また、ＣＰＵ１１は、通信ネットワークＮを介して通信接続されたユーザ端末２０との間で、通信を行う、即ち、ＨＴＴＰプロトコルに従い、要求に応じて後述するＷＥＢ用の各種画面をユーザ端末２０に送信する。そして、ユーザ端末２０によりお題作成画面Ｇ３（図１４参照）において入力された、タイトル、内容、スケジュール、及び他からのエントリーの受け付け可否等の調査対象情報を受信し、受信した調査対象情報を生成した登録番号に対応付けてタイケツ情報ＤＢ１６２（図５参照）に登録する。このとき、ＣＰＵ１１は、調査対象情報を入力したユーザ（主催者）の利用ポイントを減算してポイントＤＢ１６６に記憶する。
【００３０】
また、ＣＰＵ１１は、ユーザ端末２０によりエントリー情報入力画面Ｇ５（図１４、図１６参照）において入力された、比較対象であるアイテム、評価理由、オススメ度、及びユーザ状況等のエントリー情報を受信し、登録番号に対応付けてエントリー情報ＤＢ１６３（図６参照）に登録する。このとき、登録したエントリー情報が主催者以外のユーザから入力されたものであれば、ＣＰＵ１１は、そのユーザの利用ポイントを加算してポイントＤＢ１６６に記憶する。
【００３１】
また、ＣＰＵ１１は、ユーザ端末２０により、調査対象の入力時に入力されたスケジュールにより、比較対象となるアイテムのエントリー期間と、アイテムに対する投票を受け付ける投票期間とを設定する。また、ＣＰＵ１１は、投票期間内にユーザ端末２０のユーザからのアイテムに対する投票を受け付け、アイテム毎の投票数をカウントして、投票情報ＤＢ１６４（図７参照）に登録し、ユーザ端末２０からの要求に応じて投票状況をリアルタイムに提供する。また、このとき、ＣＰＵ１１は、投票を行ったユーザに対応する利用ポイントを加算してポイントＤＢ１６６に記憶する。
【００３２】
また、ＣＰＵ１１は、投票期間が経過した際に、投票情報ＤＢ１６４に登録したアイテム毎の投票数をグラフ等によりランク付けし、ユーザ端末２０からの要求に応じて集計結果をユーザ端末２０に提供する。このような処理を情報収集サイトを開設して行う。
【００３３】
ここで、情報収集サイトは、メニュー画面Ｇ１、ユーザ登録画面Ｇ２、お題作成画面Ｇ３、作成内容確認画面Ｇ４、エントリー情報入力画面Ｇ５、入力内容確認画面Ｇ６、最終確認画面Ｇ７、閲覧画面Ｇ８、タイケツ閲覧画面Ｇ９、閲覧画面Ｇ１０、アンケート入力画面Ｇ１１、入力内容確認画面Ｇ１２、完了画面Ｇ１３、閲覧画面Ｇ１４、閲覧画面Ｇ１５、投票内容入力画面Ｇ１６、入力内容確認画面Ｇ１７、完了画面Ｇ１８、閲覧画面Ｇ１９、及び結果発表画面Ｇ２０により構成される（図１２〜図１８参照）。
【００３４】
これらの各画面は、例えば、ＨＴＭＬ（Hyper Text Markup Language）やＸＭＬ（eXtensible Markup Language）といった、ユーザ端末２０において閲覧可能な文書データの形式で作成される。また、携帯電話において閲覧可能な形式（C-HTML、WML、HDML）で作成されるものとしてもよい。
各画面の詳細については、図８〜図１１のフローチャートの説明とあわせて説明する。
【００３５】
表示部１２は、液晶表示装置、ＣＲＴ（Cathode Ray Tube）表示装置等により構成され、ＣＰＵ１１から入力される表示データを表示する。
【００３６】
入力部１３は、カーソルキー、数字入力キー及び各種機能キー等を備えたキーボードと、ポインティングデバイスであるマウスとを備え、キーボードで押下された押下信号をＣＰＵ１１に出力するとともに、マウスによる操作信号をＣＰＵ１１に出力する。
【００３７】
伝送制御部１４は、通信ネットワークＮを介して接続されたユーザ端末２０等の外部機器との通信を行うための、モデム、ターミナルアダプタ、または電話等の通信機器によって構成される。
【００３８】
ＲＡＭ（Random Access Memory）１５は、前述の指定されたアプリケーションプログラム、入力指示、入力データ及び処理結果等を格納するワークメモリエリアを有する。
【００３９】
記憶装置１６は、プログラムやデータ等が予め記憶されている記録媒体１７を有しており、この記録媒体１７は磁気的、光学的記録媒体、若しくは半導体メモリで構成されている。この記録媒体１７は記憶装置１６に固定的に設けたもの、もしくは着脱自在に装備するものであり、この記録媒体１７は上記システムプログラム及び当該システムに対応する各種アプリケーションプログラムとして全体処理プログラム、及び各処理プログラムで処理されたデータ等を記憶する。
【００４０】
また、記憶装置１６は、情報収集サービスに係る各種情報を管理するための各種ＤＢとして、図３に示すように、ユーザＤＢ１６１、タイケツ情報ＤＢ１６２、エントリー情報ＤＢ１６３、投票情報ＤＢ１６４、アンケートＤＢ１６５、及びポイントＤＢ１６６を有する。
【００４１】
図４にユーザＤＢ１６１のデータ構成例を示す。ユーザＤＢ１６１の１レコードには、「ログイン名」項目１６１ａ、「パスワード」項目１６１ｂ、「性別」項目１６１ｃ、「生年月日」項目１６１ｄ、「メールアドレス」項目１６１ｅ、「案内メールの可否」項目１６１ｆ、「血液型」項目１６１ｇ、「他のユーザへ一言」項目１６１ｈ、「業種」項目１６１ｉ、「職種」項目１６１ｊ、「家族構成」項目１６１ｋ、「住居形態」項目１６１ｌ、「最終学歴」項目１６１ｍ、「年収」項目１６１ｎ、「未婚・既婚」項目１６１ｏ、「子供の有無」項目１６１ｐ、「運転免許証の有無」項目１６１ｑ、「自家用車の有無」項目１６１ｒ、「所有している自家用車の種類」項目１６１ｓ、「名前」項目１６１ｔ、「郵便番号」項目１６１ｕ、及び「住所」項目１６１ｖ等が設定されており、各項目１６１ａ〜１６１ｅにはユーザ登録画面Ｇ２（図１３参照）においてユーザにより入力されたユーザの属性情報が記憶される。また、各項目１６１ｆ〜１６１ｖには、情報収集サイトの利用状況に応じて送信する入力画面（図示省略）においてユーザから入力されたユーザの属性情報が記憶される。つまり、情報収集サイトを頻繁に利用するユーザのように、参加意欲のあるユーザについては詳細な属性情報も記憶する。この入力画面は、例えば、ユーザ端末２０からタイケツ閲覧やタイケツ開催が要求された時、または情報収集サイトでのプレゼントの応募時等にユーザ端末２０に送信されることとすればよい。
【００４２】
図５にタイケツ情報ＤＢ１６２のデータ構成例を示す。タイケツ情報ＤＢ１６２の１レコードには、「登録番号」項目１６２ａ、「タイトル」項目１６２ｂ、「内容」項目１６２ｃ、「スケジュール」項目１６２ｄ、「他からのエントリー」項目１６２ｅ、「残り時間」項目１６２ｆ、「状況」項目１６２ｇ、及び「閲覧数」項目１６２ｈが設定されており、各項目１６２ｂ〜１６２ｅにはお題作成画面Ｇ３（図１４参照）においてユーザにより入力された調査対象情報がＣＰＵ１１が生成した登録番号に対応付けてそれぞれ記憶される。
【００４３】
また、タイケツ情報ＤＢ１６２の項目１６２ｆ、１６２ｇの内容は、ＣＰＵ１１の計時部（図示省略）による計時に応じて定期的に更新される。このとき、ＣＰＵ１１は、項目１６２ｄのスケジュールと、項目１６２ｆの残り時間とを比較し、残り時間がスケジュールの３分の２以下となった場合に、項目１６２ｇの内容を「エントリー中」から「投票中」に変更させ、残り時間が「０」となった場合に、項目１６２ｇの内容を「投票中」から「結果発表」に変更させる。また、「閲覧数」項目１６２ｈには、ユーザ端末２０のユーザにより閲覧された累計回数がＣＰＵ１１によりカウントされて設定される。
【００４４】
図６にエントリー情報ＤＢ１６３のデータ構成を示す。エントリー情報ＤＢ１６３の１レコードには、「登録番号」項目１６３ａ、「アイテム」項目１６３ｂ、「評価理由」項目１６３ｃ、及び「オススメ度」項目１６３ｄが設定されており、各項目１６３ｂ〜１６３ｄには、エントリー情報入力画面Ｇ５（図１４参照）においてユーザに入力されたエントリー情報が登録番号に対応付けてそれぞれ記憶される。なお、エントリー情報ＤＢ１６３の登録番号は、タイケツ情報ＤＢ１６２の登録番号に対応している。
【００４５】
図７に、投票情報ＤＢ１６４のデータ構成を示す。投票情報ＤＢ１６４は、上述した登録番号別の投票情報を記憶している。ここでは、登録番号「４」に対応する投票情報を一例としている。また、この投票情報ＤＢ１６４の１レコードには、「アイテム」項目１６４ａ、及び「カウント数」１６４ｂが設定されており、ＣＰＵ１１によりカウントされた各アイテムに対する投票情報が記憶される。
【００４６】
また、アンケートＤＢ１６５は、アンケート入力画面Ｇ１１（図１６、図１７参照）に入力されたアンケート結果を登録番号に対応付けて記憶する。
【００４７】
また、ポイントＤＢ１６６は、ユーザＤＢ１６１に記憶されている（つまり、ユーザ登録された）ユーザ毎の利用ポイントを記憶している。また、この利用ポイントは、ポイント数に応じてプレゼントへの応募や特典との交換等に利用できる。
【００４８】
また、記録媒体１７に記憶されたプログラム、データ等は、その一部若しくは全部をサーバやクライアント等の外部機器から、ＬＡＮ（Local Area Network）、ＷＡＮ（Wide Area Network）等のネットワーク回線等の伝送媒体を介して伝送制御部１４から受信して記憶する構成にしてもよく、また、記録媒体１７はネットワーク上に構築されたサーバの記録媒体であってもよい。更に、上記プログラムをネットワーク回線等の伝送媒体を介してサーバやクライアントへ伝送してこれらの機器にインストールするように構成してもよい。
【００４９】
次に、動作を説明する。
後述する各フローチャートに記述されている各機能を実現するためのプログラムは、読み取り可能なプログラムコードの形態で記録媒体１７に格納されており、ＣＰＵ１１はこのプログラムコードにしたがった動作を逐次実行する。また、ＣＰＵ１１は伝送媒体を介して伝送されてきた上述のプログラムコードに従った動作を逐次実行することもできる。すなわち、記録媒体１７の他、伝送媒体を介して外部供給されたプログラム／データを利用してこの実施形態特有の動作を実行することもできる。
【００５０】
図８〜図１１はデータ処理装置１０において実行される処理を説明するフローチャートであり、図１２〜図１８はデータ処理装置１０により開設された情報収集サイトの各画面を示す図である。
【００５１】
図８において、データ処理装置１０のＣＰＵ１１は、ユーザ端末２０からのアクセスを待機しており、ユーザ端末２０からのアクセスがあれば、データ処理装置１０にて開設した情報収集サイトのメニュー画面Ｇ１（図１２参照）を、ユーザ端末２０に対して送信する（ステップＳ１）。
【００５２】
図１２に情報収集サイトのメニュー画面Ｇ１の画面構成例を示す。
情報収集サイトのメニュー画面Ｇ１は、このサイトにて行うことのできる各処理へのリンクをメニュー形式に表示しており、図１２に示すように、各メニュー項目には、「１．ユーザ登録」へのリンクＧ１ａ、「２．タイケツ開催」へのリンクＧ１ｂ、「３．タイケツ閲覧」へのリンクＧ１ｃが貼られている。
【００５３】
ユーザ端末２０において、メニュー画面Ｇ１が表示され、何れかのリンクＧ１ａ〜Ｇ１ｃがポインティングデバイス、或いはカーソルキー等により指示され、メニューの項目が選択されると（ステップＳ２；ＹＥＳ）、データ処理装置１０は選択された項目を受信し、その項目に対応するリンク先の画面をそのユーザ端末２０に対して送信する。
以下、各リンク先の画面で行われる処理についてそれぞれ説明する。
【００５４】
まず、メニュー画面Ｇ１（図１２参照）において、「１．ユーザ登録」へのリンクＧ１ａが選択された場合の処理について説明する。
【００５５】
この場合、データ処理装置１０のＣＰＵ１１は、ユーザ登録画面Ｇ２（図１３参照）を、ユーザ端末２０に対して送信する（ステップＳ３）。
【００５６】
図１３に情報収集サイトのユーザ登録画面Ｇ２の画面構成例を示す。
ユーザ登録画面Ｇ２は、情報収集サービスを利用するユーザ端末２０のユーザ登録を行う画面であり、図１３に示すように、ログイン名入力欄Ｇ２ａ、パスワード入力欄Ｇ２ｂ、性別チェック入力欄Ｇ２ｃ、生年月日入力欄Ｇ２ｄ、及びメールアドレス入力欄Ｇ２ｅが設けられるとともに、これらの情報の登録をデータ処理装置１０に依頼する際に操作される「登録」ボタンＧ２ｆと、メニュー画面に戻るための「戻る」ボタンＧ２ｇとが設けられる。
【００５７】
ユーザ端末２０により、このユーザ登録画面Ｇ２の各入力欄Ｇ２ａ〜Ｇ２ｅにおいて、ログイン名、パスワード、性別、生年月日、及びメールアドレスが入力され、「登録」ボタンＧ２ｆが指示されると、データ処理装置１０のＣＰＵ１１はこれらの情報を受信して（ステップＳ４）、ユーザＤＢ１６１の新規レコードの各項目に登録し（ステップＳ５）、ステップＳ１に戻り、処理を続行する。
【００５８】
次に、メニュー画面Ｇ１（図１２参照）において、「２．タイケツ開催」へのリンクＧ１ｂが選択された場合の処理について説明する。
【００５９】
この場合、データ処理装置１０のＣＰＵ１１は、ユーザ端末２０が情報収集サイトにログインされているか否かを判別し、ログインされていなければ、ログイン画面（図示省略）をユーザ端末２０に送信し、ログイン画面においてユーザ端末２０から入力されるログイン名及びパスワードを受信し、ユーザ認証ができれば（ステップＳ６；ＹＥＳ）、お題作成画面Ｇ３（図１４参照）をユーザ端末２０に送信する（ステップＳ７）。
【００６０】
図１４に情報収集サイトの画面Ｇ３〜Ｇ８の画面構成例を示す。このうち、お題作成画面Ｇ３は、ユーザ端末２０のユーザにより提起された調査対象を作成させるための画面であり、図１４に示すように、調査対象に対するタイトル入力欄Ｇ３ａ、調査対象の内容入力欄Ｇ３ｂ、この調査対象の調査期間であるスケジュール入力欄Ｇ３ｃ、及び他のユーザから比較対象及び評価理由のエントリーを受け付けるか否かを選択させるエントリーチェック入力欄Ｇ３ｄが設けられるとともに、作成内容確認画面Ｇ４に進むための「次へ」ボタンＧ３ｅが設けられる。また、お題作成画面Ｇ３に表示される「タイケツ開催には、１０ポイントが必要です。また、タイケツ主催者のエントリーはポイントにはなりません。」等のメッセージにより、タイケツを開催する際に利用ポイントが必要であることが示されている。
【００６１】
また、スケジュール入力欄Ｇ３ｃに入力されるスケジュールは、例えば、エントリーチェック入力欄Ｇ３ｄで「受け付ける」の枠にチェックマークが入力された場合に、他のユーザから比較対象及び評価理由等のエントリーを受け付けるエントリー期間と、エントリーされた比較対象に対する投票を受け付ける投票期間とを示すこととなり、エントリーチェック入力欄Ｇ３ｄで「受け付けない」の枠にチェックマークが入力された場合に、投票期間を示すこととなる。また、エントリー期間とは、タイケツ情報ＤＢ１６２にユーザが提起した調査対象情報が登録された時点から開始される。
【００６２】
次いで、ユーザ端末２０により、お題作成画面Ｇ３の各入力欄Ｇ３ａ〜Ｇ３ｄにおいて、タイトル、内容、スケジュール、及び他からのエントリー等の調査対象情報が入力され、「次へ」ボタンＧ３ｅが指示されると、データ処理装置１０のＣＰＵ１１は、ユーザから入力されたこれらの調査対象情報を受信してＲＡＭ１５に格納し（ステップＳ８）、受信したこれらの調査対象情報に基づいて作成内容確認画面Ｇ４（図１４参照）を生成し、ユーザ端末２０に送信する（ステップＳ９）。
【００６３】
作成内容確認画面Ｇ４は、ユーザ端末２０により入力された各情報をユーザに確認させる画面であり、図１４に示すように、タイトル、内容、スケジュール、及び他からのエントリー等の調査対象情報を確認させる確認表示欄Ｇ４ａが設けられるとともに、比較対象となるアイテムを登録する場合に指示される「エントリーする」ボタンＧ４ｂと、比較対象となるアイテムを登録しない場合に指示される「エントリーしない」ボタンＧ４ｃと、お題作成画面Ｇ３（図１４参照）に戻るための「戻る」ボタンＧ４ｄと、タイケツ開催を中止する場合に指示される「開催中止」ボタンＧ４ｅとが設けられる。
【００６４】
また、データ処理装置１０のＣＰＵ１１は、ユーザ端末２０により、作成内容確認画面Ｇ４において、「戻る」ボタンＧ４ｄが指示されると（ステップＳ１０；戻る）、ステップＳ７に戻り、ユーザ端末２０により、作成内容確認画面Ｇ４において、「開催中止」ボタンＧ４ｅが指示されると（ステップＳ１０；開催中止）、ステップＳ１に戻り、処理を続行する。
【００６５】
また、ここで、データ処理装置１０のＣＰＵ１１は、ユーザ端末２０により、作成内容確認画面Ｇ４において、「エントリーしない」ボタンＧ４ｃが指示されると（ステップＳ１０；エントリー→ステップＳ１１；しない）、ステップＳ１９に移行し、ユーザ端末２０により、作成内容確認画面Ｇ４において、「エントリーする」ボタンＧ４ｂが指示されると（ステップＳ１０；エントリー→ステップＳ１１；する）、エントリー情報入力画面Ｇ５（図１４参照）をユーザ端末２０に送信する（ステップＳ１２）。
【００６６】
エントリー情報入力画面Ｇ５は、調査対象に対する比較対象や評価理由を登録させるための画面であり、図１４に示すように、比較対象となるアイテム入力欄Ｇ５ａ、評価理由入力欄Ｇ５ｂ、オススメ度チェック入力欄Ｇ５ｃ、及びユーザ状況チェック入力欄Ｇ５ｄが設けられるとともに、作成内容確認画面Ｇ４に戻るための「戻る」ボタンＧ５ｅと、入力内容確認画面Ｇ６（図１４参照）に進むための「次へ」ボタンＧ５ｆとが設けられる。
【００６７】
データ処理装置１０のＣＰＵ１１は、ユーザ端末２０により、エントリー情報入力画面Ｇ５において、「戻る」ボタンＧ５ｅが指示されると（ステップＳ１３；戻る）、ステップＳ９に戻り、処理を続行する。
また、ユーザ端末２０により、エントリー情報入力画面Ｇ５の各入力欄Ｇ５ａ〜Ｇ５ｄにおいて、アイテム、評価理由、オススメ度、及びユーザ状況等のエントリー情報が入力され、「次へ」ボタンＧ５ｆが指示されると（ステップＳ１３；次へ）、データ処理装置１０のＣＰＵ１１は、ユーザから入力されたこれらのエントリー情報を受信し（ステップＳ１４）、受信したこれらのエントリー情報に基づいて入力内容確認画面Ｇ６（図１４参照）を生成し、ユーザ端末２０に送信する（ステップＳ１５）。
【００６８】
入力内容確認画面Ｇ６は、ユーザ端末２０により入力されたエントリー情報をユーザに確認させる画面であり、図１４に示すように、アイテム、評価理由、オススメ度、及びユーザ状況等のエントリー情報の確認表示欄Ｇ６ａが設けられるとともに、エントリー情報入力画面Ｇ５（図１４参照）に戻るための「戻る」ボタンＧ６ｂと、「ＯＫ！」ボタンＧ６ｃと更にエントリー情報を登録するための「もっとエントリーする」ボタンＧ６ｄとが設けられる。
【００６９】
データ処理装置１０のＣＰＵ１１は、ユーザ端末２０により、入力内容確認画面Ｇ６において、「戻る」ボタンＧ６ｂが指示されると（ステップＳ１６；戻る）、各入力欄Ｇ５ａ〜Ｇ５ｄにエントリー情報が入力されているエントリー情報入力画面（図示省略）をユーザ端末２０に送信し（ステップＳ１７）、ステップＳ１３に戻り、処理を続行する。
【００７０】
また、データ処理装置１０のＣＰＵ１１は、ユーザ端末２０により、入力内容確認画面Ｇ６において、「もっとエントリーする」ボタンＧ６ｄが指示されると（ステップＳ１６；もっとエントリーする）、エントリー情報入力画面Ｇ５（図１４参照）において入力されたエントリー情報をＲＡＭ１５に格納して（ステップＳ１８）。ステップＳ１２に戻り、処理を続行する。
【００７１】
また、ユーザ端末２０により、入力内容確認画面Ｇ６において、「ＯＫ！」ボタンＧ６ｃが指示されると（ステップＳ６；ＯＫ！）、データ処理装置１０のＣＰＵ１１は、エントリー情報入力画面Ｇ５（図１４参照）において入力されたエントリー情報、及びＲＡＭ１５に格納された調査対象情報及びエントリー情報に基づいて最終確認画面Ｇ７（図１４参照）を生成し、ユーザ端末２０に送信する（ステップＳ１９）。
【００７２】
最終確認画面Ｇ７は、ユーザ端末２０により入力された調査対象情報及びエントリー情報をタイケツ情報ＤＢ１６２及びエントリー情報ＤＢ１６３に登録する前にユーザに確認させる画面であり、図１４に示すように、タイトル、内容、スケジュール、他からのエントリー、及びエントリーされたアイテムをリスト形式に示したエントリーリストの確認表示欄Ｇ７ａが設けられるとともに、確認表示欄Ｇ７ａに表示された各情報に基づいて、調査対象の提起を開始するための「タイケツ開催！！」ボタンＧ７ｂと、入力内容確認画面Ｇ６（図１４参照）に戻るための「戻る」ボタンＧ７ｃと、「開催中止」ボタンＧ７ｄとが設けられる。
【００７３】
データ処理装置１０のＣＰＵ１１は、ユーザ端末２０により、最終確認画面Ｇ７において、「戻る」ボタンＧ７ｃが指示されると（ステップＳ２０；戻る）、ステップＳ１５に戻り、ユーザ端末２０により、最終確認画面Ｇ７において、「開催中止」ボタンＧ７ｄが指示されると（ステップＳ２０；開催中止）、ステップＳ１に戻り、処理を続行する。
【００７４】
また、ユーザ端末２０により、最終確認画面Ｇ７において、「タイケツ開催！！」ボタンＧ７ｂが指示されると（ステップＳ２０；タイケツ開催）、データ処理装置１０のＣＰＵ１１は、登録番号を生成し、最終確認画面Ｇ７においてユーザ端末２０により確認されたタイトル、内容、スケジュール、及び他からのエントリー等の調査対象情報を生成した登録番号に対応付けてタイケツ情報ＤＢ１６２の新規レコードの各項目に登録するとともに、比較対象であるアイテム、評価理由、オススメ度等のエントリー情報を登録番号に対応付けてエントリー情報ＤＢ１６３の新規レコードの各項目に登録する（ステップＳ２１）。また、このとき、ＣＰＵ１１は、タイケツを開催したユーザに対する利用ポイントから１０ポイントを減算してポイントＤＢ１６６に記憶する。そして、タイケツ情報ＤＢ１６２に登録した各項目及びエントリー情報ＤＢ１６３に登録したエントリー情報に基づいて閲覧画面Ｇ８（図１４参照）を生成し、ユーザ端末２０に送信する（ステップＳ２２）。
【００７５】
閲覧画面Ｇ８は、提起された調査対象をユーザに閲覧させるための画面であり、図１４に示すように、調査対象のタイトル、内容、タイケツ開催により減算されたポイント数、スケジュール、閲覧数、エントリー数、総投票数、及び現在のエントリー状況（エントリーされたアイテムのリスト）の確認表示欄Ｇ８ａが設けられるとともに、メニューに戻るための「メニューへ」ボタンＧ８ｂが設けられる。ここで、現在のエントリー状況の各アイテムには、リンクが貼られており、ユーザ端末２０によりこのリンクが指示されると、データ処理装置１０のＣＰＵ１１は、エントリー情報ＤＢ１６３に登録されているエントリー情報に基づいて各アイテムの評価理由を表示する評価画面（図示省略）を生成し、ユーザ端末２０に送信する。
【００７６】
そして、データ処理装置１０のＣＰＵ１１は、ユーザ端末２０により、閲覧画面Ｇ８において、「メニューへ」ボタンＧ８ｂが指示されると（ステップＳ２３；ＹＥＳ）、ステップＳ１に戻り、処理を続行する。
【００７７】
次に、メニュー画面Ｇ１（図１２参照）において、「３．タイケツ閲覧」へのリンクＧ１ｃが選択された場合の処理について、図９を参照して説明する。
【００７８】
図９において、データ処理装置１０のＣＰＵ１１は、ユーザ端末２０が情報収集サイトにログインされているか否かを判別し、ログインされていなければ、ログイン画面（図示省略）をユーザ端末２０に送信し、ログイン画面においてユーザ端末２０から入力されるログイン名及びパスワードを受信し、ユーザ認証ができれば（ステップＳ２４；ＹＥＳ）、タイケツ情報ＤＢ１６２に登録されているタイトル、状況、閲覧数等の各項目を抽出し、抽出した各項目に基づいて「エントリー中」、「投票中」、「結果発表」を識別可能に表示させたタイケツ閲覧画面Ｇ９（図１５参照）を生成し、ユーザ端末２０に送信する（ステップＳ２５）。
【００７９】
図１５に情報収集サイトのタイケツ閲覧画面Ｇ９の画面構成例を示す。
タイケツ閲覧画面Ｇ９は、このサイトにて閲覧できる調査対象情報へのリンクを表示したもので、図１５に示すように、「エントリー中」、「投票中」、及び「結果発表」に分類された注目の情報（例えば、閲覧数多い情報等）を表示する表示欄Ｇ９ａが設けられるとともに、「一覧表示」ボタンＧ９ｂと、メニュー画面Ｇ１（図１２参照）に戻るための「戻る」ボタンＧ９ｃとが設けられる。表示欄Ｇ９ａに表示される各調査対象情報（例えば、「目玉焼きに何かけて食べる？」、「あなたの嫌いな寿司ネタ」、「携帯電話」）及び「一覧表示」ボタンＧ９ｃがユーザ端末２０により指示されることにより表示される各調査対象情報には、リンクが貼られている。
【００８０】
また、データ処理装置１０のＣＰＵ１１は、ユーザ端末２０により、タイケツ閲覧画面Ｇ９（図１５参照）において、調査対象情報へのリンクが指示されると（ステップＳ２６；リンク）、ステップＳ２９に移行し、また、ユーザ端末２０により、タイケツ閲覧画面Ｇ９において、「戻る」ボタンＧ９ｃが指示されると（ステップＳ２６；戻る）、ステップＳ１に戻り、処理を続行する。
【００８１】
また、ユーザ端末２０により、タイケツ閲覧画面Ｇ９において、「一覧表示」ボタンＧ９ｂが指示されると（ステップＳ２６；一覧表示）、データ処理装置１０のＣＰＵ１１は、タイケツ情報ＤＢ１６２に登録されている全ての調査対象情報のタイトルや状況等を抽出し、「エントリー中」、「投票中」、「結果発表」を識別可能に一覧表示させた一覧表示ページ（図示省略）を生成し、ユーザ端末２０に送信する（ステップＳ２７）。
【００８２】
そして、ユーザ端末により、一覧表示ページにおいて、調査対象情報へのリンクが指示されると（ステップＳ２８；ＹＥＳ）、データ処理装置１０のＣＰＵ１１は、指示された調査対象情報の状況が「エントリー中」、「投票中」、及び「結果発表」の内の何れであるかを判別する（ステップＳ２９）。
【００８３】
ここで、データ処理装置１０のＣＰＵ１１は、指示された調査対象情報の状況が「エントリー中」であると判別すると(ステップＳ２９；エントリー中)、図９及び図１０に示すステップＳ３０〜Ｓ４４までの各処理を実行する。また、指示された調査対象情報の状況が「投票中」であると判別すると（ステップＳ２９；投票）、図１１に示すステップＳ４５〜Ｓ５８までの各処理を実行する。また、指示された調査対象情報の状況が「結果発表」であると判別すると（ステップＳ２９；結果発表）、図９に示すステップＳ５９、Ｓ６０の各処理を実行する。
【００８４】
まずはじめに、図９及び図１０に示すステップＳ３０〜Ｓ４４を参照して、ユーザ端末２０により、閲覧画面Ｇ９（図１５参照）または一覧表示ページ（図示省略）において、指示された調査対象情報の状況が「エントリー中」である場合について説明する。
【００８５】
この場合、データ処理装置１０のＣＰＵ１１は、調査対象情報へのリンクを指示したユーザ端末２０のユーザがこの調査対象情報の主催者（提起者）またはエントリー済みか否かを判別し（ステップＳ３０）、ユーザが主催者である場合やエントリー済みの場合には（ステップＳ３０；ＹＥＳ）、「主催者」または「エントリー済み」を表示させた閲覧画面Ｇ８（図１４参照）または後述する閲覧画面Ｇ１４（図１６参照）を生成し、ユーザ端末２０に送信し、図１０のステップＳ４４に移行する。
【００８６】
また、データ処理装置１０のＣＰＵ１１は、ユーザが主催者以外でエントリー済みでなければ（ステップＳ３０；ＮＯ）、タイケツ情報ＤＢ１６２から指示されたリンクに対応する調査対象情報を抽出し、抽出した調査対象情報に基づいて閲覧画面Ｇ１０を生成し、ユーザ端末２０に送信する（ステップＳ３２）。
【００８７】
図１６に情報収集サイトの画面Ｇ５及び画面Ｇ１０〜Ｇ１４の画面構成例を示す。このうち、閲覧画面Ｇ１０は、エントリー期間内の調査対象をユーザに閲覧させるための画面であり、前述した閲覧画面Ｇ８（図１４参照）と同様の構成については、詳細説明を省略する。なお、閲覧画面Ｇ１０では、表示されたエントリー状況の中にオススメのアイテムがエントリーされていない場合に登録を行うための「エントリー」ボタンＧ１０ａが設けられる。
【００８８】
そして、ユーザ端末２０により、閲覧画面Ｇ１０において、「エントリー」ボタンＧ１０ａが指示されると（ステップＳ３３；ＹＥＳ）、データ処理装置１０のＣＰＵ１１は、エントリー情報入力画面Ｇ５（図１６参照）をユーザ端末２０に送信し（ステップＳ３４）、ユーザ端末２０から送信される指示を受け付ける。
【００８９】
ここで、データ処理装置１０のＣＰＵ１１は、ユーザ端末２０により、エントリー情報入力画面Ｇ５において、「戻る」ボタンＧ５ｅが指示されると（ステップＳ３５；戻る）、ステップＳ３０に戻って処理を続行する。
また、ユーザ端末２０により、エントリー情報入力画面Ｇ５の各入力欄Ｇ５ａ〜Ｇ５ｄにおいて、アイテム、評価理由、オススメ度、及びユーザ状況のエントリー情報が入力され、「次へ」ボタンＧ５ｆが指示されると（ステップＳ３５；次へ）、データ処理装置１０のＣＰＵ１１は、ユーザから入力されたこれらのエントリー情報を受信してＲＡＭ１５に格納し、図１０のステップＳ３６に移行して、アンケート入力画面Ｇ１１をユーザ端末２０に送信する（ステップＳ３６）。
【００９０】
アンケート入力画面Ｇ１１は、提起された調査対象に興味を持っている企業等からのアンケートをユーザに入力させるための画面であり、図１６に示すように、オススメに対するウンチク等を自由に入力させるフリー入力欄Ｇ１１ａ、及びユーザのブランドイメージ等をチェックさせるチェック入力欄Ｇ１１ｂが設けられるとともに、作成内容確認画面Ｇ４に戻るための「戻る」ボタンＧ１１ｃと、入力内容確認画面Ｇ１２（図１６参照）に進むための「次へ」ボタンＧ１１ｄとが設けられる。なお、チェック入力欄Ｇ１１ｂにユーザ端末２０のユーザの意識に近いものがない場合には、更に備える入力欄Ｇ１１ｅに入力させることとすればよい。
【００９１】
そして、ユーザ端末２０により、アンケート入力画面Ｇ１１において、「戻る」ボタンＧ１１ｃが指示されると（ステップＳ３７；戻る）、データ処理装置１０のＣＰＵ１１は、図９のステップＳ３４に戻り、処理を続行する。
また、ユーザ端末２０により、アンケート入力画面Ｇ１１の各入力欄Ｇ１１ａ、Ｇ１１ｂ、Ｇ１１ｅ等にアンケート結果が入力され、「次へ」ボタンＧ１１ｄが指示されると（ステップＳ３７；次へ）、データ処理装置１０のＣＰＵ１１は、アンケート結果をＲＡＭ１５に格納するとともに、ＲＡＭ１５に既に格納してあるエントリー情報に基づいて入力内容確認画面Ｇ１２（図１６参照）を生成し、ユーザ端末２０に送信する（ステップＳ３８）。
【００９２】
入力内容確認画面Ｇ１２は、ユーザ端末２０により入力されたエントリー情報をユーザに確認させる画面であり、図１６に示すように、アイテム、評価理由、オススメ度、及びユーザ状況等のエントリー情報の確認表示欄Ｇ１２ａが設けられるとともに、アンケート入力画面Ｇ１１（図１６参照）に戻るための「戻る」ボタンＧ１２ｂと、「ＯＫ！」ボタンＧ１２ｃと更にエントリー情報を登録するための「キャンセル」ボタンＧ１２ｄとが設けられる。
【００９３】
そして、データ処理装置１０のＣＰＵ１１は、ユーザ端末２０により、入力内容確認画面Ｇ１２において、「戻る」ボタンＧ１２ｂが指示されると（ステップＳ３９；戻る）、ステップＳ３６に戻り、処理を続行する。
また、ユーザ端末２０により、入力内容確認画面Ｇ１２において、「キャンセル」ボタンＧ１２ｄが指示されると（ステップＳ３９；キャンセル）、データ処理装置１０のＣＰＵ１１は、図９のステップＳ３２に戻り、処理を続行する。
また、ユーザ端末２０により、入力内容確認画面Ｇ１２において、「ＯＫ！」ボタンＧ１２ｃが指示されると（ステップＳ３９；ＯＫ）、データ処理装置１０のＣＰＵ１１は、ＲＡＭ１５に格納したエントリー情報を登録番号に対応付けてエントリー情報ＤＢ１６３に記憶するとともに、ＲＡＭ１５に格納したアンケート結果をアンケートＤＢ１６５に登録する。また、このとき、ＣＰＵ１１は、エントリー情報を入力したユーザの利用ポイントを１０ポイント加算してポイントＤＢ１６６に記憶する（ステップＳ４０）。
【００９４】
次いで、データ処理装置１０のＣＰＵ１１は、完了画面Ｇ１３を生成し、ユーザ端末２０に送信する（ステップＳ４１）。
【００９５】
図１６に情報収集サイトの完了画面Ｇ１３の画面構成例を示す。
完了画面Ｇ１３は、エントリー情報の登録完了とポイントの獲得情報とをユーザに知らせる画面であり、図１６に示すように、「ありがとうございました！１０ポイント獲得しました！引き続きタイケツ．ｃｏｍをお楽しみ下さい。」等のメッセージを表示する表示欄Ｇ１３ａが設けられるとともに、メニュー画面Ｇ１（図１２参照）に戻るための「メニューへ」ボタンＧ１３ｂと、タイケツ内容を閲覧するための「タイケツ内容」ボタンＧ１３ｃとが設けられる。
【００９６】
そして、ユーザ端末２０により、完了画面Ｇ１３において、「メニューへ」ボタンＧ１３ｂが指示されると（ステップＳ４２；メニューへ）、データ処理装置１０のＣＰＵ１１は、図８のステップＳ１に戻り、処理を続行する。
また、ユーザ端末２０により、完了画面Ｇ１３の「タイケツ内容」ボタンＧ１３ｃが指示されると（ステップＳ４２；タイケツ内容）、データ処理装置１０のＣＰＵ１１は、タイケツ情報ＤＢ１６２に登録されている調査対象情報及びエントリー情報ＤＢ１６３に登録したエントリー情報に基づいて閲覧画面Ｇ１４を生成し、ユーザ端末２０に送信する（ステップＳ４３）。
【００９７】
閲覧画面Ｇ１４は、ユーザ端末２０により入力されたエントリー情報をユーザにより閲覧させるための画面であり、図１６に示すように、調査対象のタイトル、内容、スケジュール、閲覧数、エントリー数、総投票数、及び現在のエントリー状況（エントリーされたアイテムのリスト）の確認表示欄Ｇ１４ａが設けられるとともに、メニューに戻るための「メニューへ」ボタンＧ１４ｂが設けられる。ここで、現在のエントリー状況の各アイテムには、リンクが貼られており、ユーザ端末２０によりこのリンクが指示されると、データ処理装置１０のＣＰＵ１１は、エントリー情報ＤＢ１６３に登録されているエントリー情報に基づいて各アイテムの評価理由を表示する評価画面（図示省略）を生成し、ユーザ端末２０に送信する。
【００９８】
そして、データ処理装置１０のＣＰＵ１１は、ユーザ端末２０により、閲覧画面Ｇ８またはＧ１４において、「メニューへ」ボタンが指示されると（ステップＳ４４；ＹＥＳ）、ステップＳ１に戻り、処理を続行する。
【００９９】
次に、図１１に示すステップＳ４５〜Ｓ５８を参照して、ユーザ端末２０により、閲覧画面Ｇ９（図１５参照）または一覧表示ページ（図示省略）において、指示されたリンクの状況が「投票中」である場合について説明する。
【０１００】
この場合、データ処理装置１０のＣＰＵ１１は、調査対象情報へのリンクを指示したユーザ端末２０のユーザが主催者、エントリー済み、または投票済みであるか否かを判別する（ステップＳ３０）。
【０１０１】
ここで、データ処理装置１０のＣＰＵ１１は、ユーザが主催者、エントリー済み、投票済みの何れかであれば（ステップＳ４５；ＹＥＳ）、「投票済み」を付加した閲覧画面Ｇ１９（図１７参照）をユーザ端末２０に送信し、ステップＳ５８に移行する。
また、ユーザが主催者、エントリー済み、投票済みの何れかでなければ（ステップＳ４５；ＮＯ）、データ処理装置１０のＣＰＵ１１は、タイケツ情報ＤＢ１６２から指示されたリンクに対応する調査対象情報を抽出し、抽出した調査対象情報に基づいて閲覧画面Ｇ１５（図１７参照）を生成し、ユーザ端末２０に送信する（ステップＳ４７）。
【０１０２】
図１７に情報収集サイトの画面Ｇ１１及び画面Ｇ１５〜Ｇ１９の画面構成例を示す。このうち、閲覧画面Ｇ１５は、投票期間内の調査対象をユーザに閲覧させ、投票を促進するための画面であり、図１７に示すように、調査対象のタイトルル、内容、スケジュール、閲覧数、エントリー数、総投票数、及び現在のエントリー状況（エントリーされたアイテムのリスト）の確認表示欄Ｇ１５ａと、エントリーされた複数のアイテムを表示するアイテムチェック表示欄Ｇ１５ｂとが設けられるとともに、表示された中からアイテムを選択して投票を行うための「投票」ボタンＧ１５ｂが設けられる。
【０１０３】
そして、ユーザ端末２０により、閲覧画面Ｇ１５において、アイテムチェック表示欄Ｇ１５ｂの枠にチェックマークが入力され、「投票」ボタンＧ１５ｃが指示されると（ステップＳ４８；ＹＥＳ）、データ処理装置１０のＣＰＵ１１は、投票内容入力画面Ｇ１６をユーザ端末２０に送信する（ステップＳ４９）。
【０１０４】
投票内容入力画面Ｇ１６は、ユーザ端末２０のユーザに投票をさせるための画面であり、図１７に示すように、ユーザにより選択された回答と比較するアイテムを選択するチェック入力欄Ｇ１６ａ、評価理由チェック入力欄Ｇ１６ｂ、オススメ度チェック入力欄Ｇ１６ｃ、及びユーザ状況チェック入力欄Ｇ１６ｄが設けられるとともに、閲覧画面Ｇ１５に戻るための「戻る」ボタンＧ１６ｅと、アンケート入力画面Ｇ１１に進むための「次へ」ボタンＧ１６ｆとが設けられる。なお、評価理由入力欄Ｇ１６ｂにユーザ端末２０のユーザの意識に近いものがない場合には、更に備える入力欄Ｇ１６ｇに入力させることとすればよい。
【０１０５】
ここで、データ処理装置１０のＣＰＵ１１は、ユーザ端末２０により、投票内容入力画面Ｇ１６において、「戻る」ボタンＧ１６ｅが指示されると（ステップＳ５０；戻る）、ステップＳ４７に戻り、処理を続行する。
また、ユーザ端末２０により、投票内容入力画面Ｇ１６の各入力欄Ｇ１６ａ〜Ｇ１６ｄ、Ｇ１６ｇにおいて、アイテム、評価理由、オススメ度、及びユーザ状況等のエントリー情報が入力され、「次へ」ボタンＧ１６ｆが指示されると（ステップＳ５０；次へ）、データ処理装置１０のＣＰＵ１１は、ユーザから入力されたこれらのエントリー情報を受信してＲＡＭ１５に格納し、アンケート入力画面Ｇ１１をユーザ端末２０に送信する（ステップＳ５１）。
【０１０６】
そして、ユーザ端末２０により、アンケート入力画面Ｇ１１において、「戻る」ボタンＧ１１ｃが指示されると（ステップＳ５２；戻る）、データ処理装置１０のＣＰＵ１１は、ステップＳ４９に戻り、処理を続行する。
また、ユーザ端末２０により、アンケート入力画面Ｇ１１の各入力端Ｇ１１ａ、Ｇ１１ｂ、Ｇ１１ｅ等にアンケート結果が入力され、「次へ」ボタンＧ１１ｄが指示されると（ステップＳ５２；次へ）、データ処理装置１０のＣＰＵ１１は、アンケート結果をＲＡＭ１５に格納するとともに、ＲＡＭ１５に既に格納してあるエントリー情報に基づいて入力内容確認画面Ｇ１７を生成し、ユーザ端末２０に送信する（ステップＳ５３）。
【０１０７】
入力内容確認画面Ｇ１７は、ユーザ端末２０により投票されたエントリー情報をユーザに確認させる画面であり、図１７に示すように、投票されたアイテム、評価理由、オススメ度、及びユーザ状況等のエントリー情報の確認表示欄Ｇ１７ａが設けられるとともに、アンケート入力画面Ｇ１１（図１６参照）に戻るための「戻る」ボタンＧ１７ｂと、「ＯＫ！」ボタンＧ１７ｃと、更にエントリー情報を登録するための「キャンセル」ボタンＧ１７ｄとが設けられる。
【０１０８】
そして、データ処理装置１０のＣＰＵ１１は、ユーザ端末２０により、入力内容確認画面Ｇ１７において、「戻る」ボタンＧ１７ｂが指示されると（ステップＳ５４；戻る）、ステップＳ５１に戻り、処理を続行する。
また、ユーザ端末２０により、入力内容確認画面Ｇ１７において、「キャンセル」ボタンＧ１７ｄが指示されると（ステップＳ５４；キャンセル）、データ処理装置１０のＣＰＵ１１は、ステップＳ４７に戻り、処理を続行する。
また、ユーザ端末２０により、入力内容確認画面Ｇ１７において、「ＯＫ！」ボタンＧ１７ｃが指示されると（ステップＳ５４；ＯＫ）、データ処理装置１０のＣＰＵ１１は、ＲＡＭ１５に格納した情報をエントリー情報ＤＢ１６３に記憶するとともに、ＲＡＭ１５に格納したアンケート結果をアンケートＤＢ１６５に登録する。また、このとき、ＣＰＵ１１は、投票を行ったユーザの利用ポイントを１０ポイント加算してポイントＤＢ１６６に記憶する。
【０１０９】
次いで、データ処理装置１０のＣＰＵ１１は、完了画面Ｇ１８を生成し、ユーザ端末２０に送信する（ステップＳ５５）。
【０１１０】
完了画面Ｇ１８は、エントリー情報の登録完了とポイントの獲得情報とをユーザに知らせる画面であり、図１７に示すように、「ありがとうございました！１０ポイント獲得しました！↓投票されたあなただけ見れます！引き続きタイケツ．ｃｏｍをお楽しみ下さい。」等のメッセージを表示する表示欄Ｇ１８ａが設けられるとともに、メニュー画面Ｇ１（図１２参照）に戻るための「メニューへ」ボタンＧ１８ｂと、タイケツ内容を閲覧するための「タイケツ内容」ボタンＧ１８ｃとが設けられる。
【０１１１】
そして、ユーザ端末２０により、完了画面Ｇ１８において、「メニューへ」ボタンＧ１８ｂが指示されると（ステップＳ５６；メニューへ）、データ処理装置１０のＣＰＵ１１は、図８のステップＳ１に戻り、処理を続行する。
また、ユーザ端末２０により、完了画面Ｇ１８の「タイケツ内容」ボタンＧ１８ｃが指示されると（ステップＳ５６；タイケツ内容）、データ処理装置１０のＣＰＵ１１は、ユーザ端末２０により要求された調査対象情報に関連する情報をタイケツ情報ＤＢ１６２、エントリー情報ＤＢ１６３、及び投票情報ＤＢ１６４から抽出し、抽出した情報に基づいて閲覧画面Ｇ１９を生成し、ユーザ端末２０に送信する（ステップＳ５７）。
【０１１２】
閲覧画面Ｇ１９は、ユーザ端末２０のユーザに調査対象の投票状況を閲覧させるための画面であり、図１７に示すように、調査対象のタイトル、内容、スケジュール、閲覧数、エントリー数、及び総投票数の確認表示欄Ｇ１９ａと、ユーザが投票したアイテム及び現在のタイケツ状況の確認表示欄Ｇ１９ｂとが設けられるとともに、メニューに戻るための「メニューへ」ボタンＧ１９ｃが設けられる。ここで、現在の投票情報の確認表示欄Ｇ１９ｂには各アイテム毎に集計された投票結果が棒グラフ等により表示される。また、現在のエントリー状況の確認表示欄Ｇ１９ｂに表示された各アイテムには、リンクが貼られており、ユーザ端末２０によりこのリンクが指示されると、データ処理装置１０のＣＰＵ１１は、エントリー情報ＤＢ１６３に登録されている情報に基づいて各アイテムの評価理由を表示する評価画面（図示省略）を生成し、ユーザ端末２０に送信する。
【０１１３】
そして、データ処理装置１０のＣＰＵ１１は、ユーザ端末２０により、閲覧画面Ｇ１９において、「メニューへ」ボタンＧ１９ｃが指示されると（ステップＳ４４；ＹＥＳ）、ステップＳ１に戻り、処理を続行する。
【０１１４】
次に、図９のステップＳ５９、Ｓ６０を参照して、ユーザ端末２０により、閲覧画面Ｇ９（図１５参照）または一覧表示ページ（図示省略）において、指示されたリンクの状況が「結果発表」である場合について説明する。
【０１１５】
ここで、データ処理装置１０のＣＰＵ１１は、指示されたリンクの状況が「結果発表」であると判別すると(ステップＳ２９；結果発表)、ユーザ端末２０により要求された調査対象情報に関連する情報をタイケツ情報ＤＢ１６２、エントリー情報ＤＢ１６３、及び投票情報ＤＢ１６４から抽出し、抽出した情報に基づいて結果発表画面Ｇ２０を生成し、ユーザ端末２０に送信する（ステップＳ５９）。
【０１１６】
図１８に情報収集サイトの画面Ｇ１４、Ｇ１９及び画面Ｇ２０の画面構成例を示す。このうち、結果発表画面Ｇ２０は、投票が終了した調査対象をユーザ端末２０のユーザに公表するための画面であり、図１８に示すように、調査対象のタイトル、内容、スケジュール、閲覧数、エントリー数、及び総投票数の確認表示欄Ｇ２０ａと、投票結果の確認表示欄Ｇ２０ｂとが設けられるとともに、メニューに戻るための「メニューへ」ボタンＧ２０ｃが設けられる。ここで、投票情報の確認表示欄Ｇ２０ｂには、投票情報ＤＢ１６４に登録されているアイテム毎の投票数がランク付け（降順にソート）され、棒グラフ等により表示される。また、投票数の確認表示欄Ｇ２０ｂに表示された各アイテムには、リンクが貼られており、ユーザ端末２０によりこのリンクが指示されると、データ処理装置１０のＣＰＵ１１は、エントリー情報ＤＢ１６３に登録されている情報に基づいて各アイテムの評価理由を表示する評価画面（図示省略）を生成し、ユーザ端末２０に送信する。
【０１１７】
そして、データ処理装置１０のＣＰＵ１１は、ユーザ端末２０により、結果発表画面Ｇ２０において、「メニューへ」ボタンＧ２０ｃが指示されると（ステップＳ６０；ＹＥＳ）、ステップＳ１に戻り、処理を続行する。
【０１１８】
以上のように、データ処理装置１０は、ユーザ端末２０のユーザにより提起された調査対象を生成した登録番号に対応付けてタイケツ情報ＤＢ１６２（図５参照）に登録するとともに、調査対象を提起したユーザ（主催者）の利用ポイントを減算してポイントＤＢ１６６に記憶する。また、データ処理装置１０は、ユーザ端末２０からの要求により、タイケツ情報ＤＢ１６２から要求された登録番号の調査対象に対する比較対象となるアイテムや評価理由等のエントリー情報を入力させ、入力されたエントリー情報を調査対象の登録番号に対応付けてエントリー情報ＤＢ１６３（図６参照）に登録するとともに、エントリー情報を入力したユーザが主催者でなければ、このユーザの利用ポイントを加算してポイントＤＢ１６６に記憶する。
また、データ処理装置１０は、ユーザ端末２０からの要求により、タイケツ情報ＤＢ１６２から要求された登録番号の調査対象情報を抽出し、この登録番号のエントリー情報をエントリー情報ＤＢ１６３から抽出して、抽出した各情報に基づいて、図１８に示す閲覧画面Ｇ１４を生成し、ユーザ端末２０に送信する。
【０１１９】
また、データ処理装置１０は、エントリー期間が経過し、投票期間となった調査対象情報があれば、調査対象に興味を持った人々によるアイテムへの投票を受け付け、アイテム毎の投票数をカウントし、この調査対象情報の登録番号に対応付けて投票情報ＤＢ１６４（図７参照）に登録するとともに、投票を行ったユーザの利用ポイントを加算してポイントＤＢ１６６に記憶する。また、ユーザ端末２０からの要求に応じて、図１８に示す閲覧画面Ｇ１９のように、リアルタイムの投票状況をユーザ端末２０に提供する。
また、データ処理装置１０は、投票期間が経過した際に、投票情報ＤＢ１６４に登録したアイテム毎の投票数をグラフ等を用いてランク付けし、ユーザ端末２０からの要求に応じて、図１８に示す結果発表画面Ｇ２０のような集計結果をユーザ端末２０に提供する。
【０１２０】
したがって、ユーザ端末２０のユーザにより、環境やシーンに応じた生活の中で表層的に意識する単純な疑問や比べたいといった意識を調査対象として提起させ、この調査対象に興味を持っている人々（つまり、回答意欲のある人々）の意見を収集することができるため、回答サンプル数の収集が容易で、かつリアルな意見を収集できる。
【０１２１】
また、調査対象の提起者と、提起者とは別のユーザから比較対象及び評価理由を受け付けるので、調査対象の提起者の意見に偏らずに回答サンプルを得ることができる。
【０１２２】
また、調査対象に対する意見を収集し、収集した意見を調査対象の提起者、比較対象のエントリー者、及び投票者からの要求に応じて提供するので、情報提供の双方向性を考慮し、興味深い有効な情報を共有できる。また、情報収集サイトにて、情報の収集及び提供を行うため、コストを抑えることができる。
【０１２３】
また、情報収集サービスを利用するユーザにユーザ登録をさせ、ユーザの認証を行った上で情報の収集や提供を行うため、情報収集サイトの悪用を防止できる。
また、ユーザ登録させているため、ユーザが調査対象に対して回答（比較対象のエントリー、投票等）を行った場合に、この情報を履歴として残すことにより、以前回答を行ったユーザを対象に対して繰り返し回答を要求することができる。これにより、ユーザの嗜好等の意識の変化をリアルタイムで把握することができる。
【０１２４】
また、ユーザにより提起された調査対象、比較対象、評価理由、投票情報等をそれぞれ対応付けてＤＢで管理しているため、データを一元的に管理することが容易にできる。
【０１２５】
また、企業が直接アンケートしにくい事項についても、ユーザの提起により意見を収集することができるので、消費者の真意を探ることができる。
【０１２６】
また、ユーザ端末２０として携帯電話を利用した場合には、いつでも何処でもその時々で感じたことを他のユーザに気軽に問いかけることができるので利便性がよい。
【０１２７】
また、表層的に意識する単純な疑問や比べたいといった意識に対するリアルな回答が得られるため、今までにない読み物としてユーザを楽しませることができる。また、ユーザは、このリアルな回答に基づいて自らの意思を決定することができるので、情報収集サイトへの自主的な参加が期待できる。
【０１２８】
また、開催中のタイケツのエントリーや投票を行ったユーザに対して加算される利用ポイント数に応じて、ユーザに特典を付与することとしたので、情報収集サイトへの積極的な参加が期待できる。
【０１２９】
なお、エントリー情報と、ユーザの属性情報とを対応付けて記憶し、ユーザの属性情報に基づいてエントリー情報を分類して集計することとしてもよい。また、調査対象情報を分野別にタイケツ情報ＤＢ１６２に登録し、分野別に集計することとしてもよい。
この場合、データ処理装置１０は、例えば、タイケツ閲覧画面Ｇ９（図１５参照）において、ユーザ端末２０により、「一覧表示」ボタンＧ９ｂが指示された際に、図１９に示すように、結果発表された分野の一覧を示す分野一覧画面Ｇ２１を、タイケツ情報ＤＢ１６２に登録されている分野に基づいて生成し、ユーザ端末２０に送信する。次いで、ユーザ端末２０により、分野一覧画面Ｇ２１において、選択された分野（ここでは、「１．コンピュータ業界」）の調査対象の一覧を示す調査対象一覧画面Ｇ２２を、分野別に登録された調査対象情報に基づいて生成し、ユーザ端末２０に送信する。そして、ユーザ端末２０により、調査対象一覧画面Ｇ２２において選択された調査対象（ここでは、「Ｑ１．デスクトップパソコン」）に対応する情報を、タイケツ情報ＤＢ１６２、エントリー情報ＤＢ１６３、及び投票情報ＤＢ１６４から抽出し、抽出した情報に基づいて結果画面Ｇ２３を生成し、ユーザ端末２０に送信する。そして、ユーザ端末２０により、結果画面Ｇ２３に表示された各アイテム（ここでは、Ａ社〜Ｆ社）を投票したユーザの属性情報（ここでは、性別（男・女）、既婚・未婚）に基づいて分類することが指示されれば、ユーザの属性情報に対応付けて記憶されたエントリー情報に基づいて、分類画面Ｇ２４を生成し、ユーザ端末２０に送信する。
【０１３０】
また、ユーザ端末２０により、結果画面Ｇ２３において、アイテム（ここでは、Ａ社）が指定され、このアイテムを選択したユーザを対象とした別の分野（ここでは、たばこ業界）の投票結果の表示が指示されれば、データ処理装置１０は、指示された分野の調査対象の一覧を示す調査対象一覧画面Ｇ２５を、分野別に登録された調査対象情報に基づいて生成し、ユーザ端末２０に送信する。そして、ユーザ端末２０により、調査対象一覧画面Ｇ２５において選択された調査対象（ここでは、「Ｑ２．銘柄」）に対応する情報を、タイケツ情報ＤＢ１６２、エントリー情報ＤＢ１６３、及び投票情報ＤＢ１６４から抽出し、抽出した情報に基づいて結果画面Ｇ２６を生成し、ユーザ端末２０に送信する。そして、ユーザ端末２０により、結果画面Ｇ２６に表示された各アイテム（ここでは、ＴＡ１〜ＴＡ６）を投票したユーザの属性情報（ここでは、性別（男・女）、既婚・未婚）に基づいて分類することが指示されれば、ユーザの属性情報に対応付けて記憶されたエントリー情報に基づいて、分類画面Ｇ２７を生成し、ユーザ端末２０に送信する。
【０１３１】
また、ユーザ端末２０により、結果画面Ｇ２６において、アイテム（ここでは、ＴＡ１）が指定され、このアイテムを選択したユーザを対象とした別の分野（ここでは、旅行業界）の投票結果の表示が指示されれば、データ処理装置１０は、指示された分野の調査対象の一覧を示す調査対象一覧画面Ｇ２８を、分野別に登録された調査対象情報に基づいて生成し、ユーザ端末２０に送信する。そして、ユーザ端末２０により、調査対象一覧画面Ｇ２８において選択された調査対象（ここでは、「Ｑ１．海外旅行」）に対応する情報を、タイケツ情報ＤＢ１６２、エントリー情報ＤＢ１６３、及び投票情報ＤＢ１６４から抽出し、抽出した情報に基づいて結果画面Ｇ２７を生成し、ユーザ端末２０に送信する。そして、ユーザ端末２０により、結果画面Ｇ２７に表示された各アイテム（ここでは、ハワイ、ソウル、サイパン、香港、パリ、及びＮＹ）を投票したユーザの属性情報（ここでは、性別（男・女）、既婚・未婚）に基づいて分類することが指示されれば、ユーザの属性情報に対応付けて記憶されたエントリー情報に基づいて、分類画面Ｇ３０を生成し、ユーザ端末２０に送信する。
なお、分類画面Ｇ２４、Ｇ２７、Ｇ３０は、ユーザの属性情報別の投票結果を示すものであり、この結果は円グラフに限らず、棒グラフやその他のグラフとしてもよい。
【０１３２】
また、図２０や図２１に示すように、ユーザ端末２０により、結果画面Ｇ２３において、全アイテムが指定され、これらのアイテムを選択したユーザを対象とした別の分野（「たばこ業界」または「旅行業界」）の投票結果の表示が指示されれば、データ処理装置１０は、指示された分野の調査対象の一覧を示す調査対象一覧画面Ｇ２５または調査対象一覧画面Ｇ２８をユーザ端末２０に送信する。そして、ユーザ端末２０により、調査対象一覧画面Ｇ２５において選択された調査対象（ここでは、「Ｑ２．銘柄」）、または調査対象一覧画面Ｇ２８において選択された調査対象（ここでは、「Ｑ１．海外旅行」）に対応する投票結果の分類が指示されれば、データ処理装置１０は、指示された調査対象（つまり、「デスクトップパソコンのメーカとたばこの銘柄」、または「デスクトップパソコンのメーカと海外旅行」）に対応する情報をエントリー情報ＤＢ１６３及び投票情報ＤＢ１６４から抽出し、抽出した情報に基づいて、分類画面Ｇ３１または分類画面Ｇ３２を生成して、ユーザ端末２０に送信する。なお、分類画面Ｇ３１、Ｇ３２は、２つの調査対象の相互の関連性に基づいて集計した結果を示すものであり、この結果は円グラフに限らず、棒グラフやその他のグラフとしてもよい。
【０１３３】
また、集計結果は、図２０に示した分類画面Ｇ３１のようなグラフに限らず、図２２に示す表でもよい。この表は、分類画面Ｇ３１の集計結果と同様に、デスクトップパソコンのメーカとたばこの銘柄についての調査に参加したユーザに対する集計結果を示しており、例えば、Ａ社に投票した４００人中、「ＴＡ１」に９０人が投票し、「ＴＡ２」に７０人が投票し、「ＴＡ３」に４０人が投票し、「ＴＡ４」に５０人が投票し、「ＴＡ５」に７０人が投票し、その他の８０人が投票しなかったことを示している。
また、この表では、例えば、ＴＡ１に投票した２６０人中、「Ａ社」に９０人が投票し、「Ｂ社」に５０人が投票し、「Ｃ社」に２０人が投票し、「Ｄ社」に４０人が投票し、「Ｅ社」に５０人が投票し、「Ｆ社」に１０人が投票したことがわかる。したがって、これらに基づいて分類画面を生成することも可能である。
【０１３４】
つまり、データ処理装置１０は、エントリー情報とユーザの属性情報とを対応付けて記憶することにより、ユーザの属性情報に対応する投票結果の集計ができ、例えば、年代、性別、血液型、既婚・未婚、在住地域等の属性情報が一致するまたは類似するユーザの嗜好等の傾向を把握することができるようになる。また、これらの傾向を棒グラフ、円グラフ、表等を用いてユーザに提供するので、ユーザの嗜好等の傾向が更に分かりやすい形でユーザに提供できる。
また、データ処理装置１０は、ユーザ端末２０からの要求に応じて、特定の調査対象に投票を行ったユーザを対象にして、別の調査対象に対する投票を行わせ、複数の調査対象に対する投票結果を集計することができる。このため、図２２に示した表のように２つの調査対象に対する投票結果をクロスさせて集計でき、例えば、デスクトップパソコンのメーカで「Ａ社」を選ぶユーザには、「ＴＡ１」という銘柄のたばこ好きが多い等という集計を得ることができる。したがって、これらの情報を利用することにより、例えば、「Ａ社」の製品のキャンペーンを行う時には、「ＴＡ１」のたばこをプレゼントするといった決定ができる。つまり、企業等が上述した集計結果を利用することにより、今まで考えられなかったタイアップを企画することができる。
【０１３５】
さらに、本実施の形態のデータ処理装置１０により提供されるサービスによれば、登録ユーザーがタイケツ開催をエントリーする際に、入力するタイトルに例えば「冬でも飲みたいビール対決！」等のように、比較対象にシチュエーションを想定することも可能である。したがって、ユーザーの比較対象に対するシチュエーションをも意識した情報収集も可能となり、比較対象が商品やサービスである場合、その企業は従来と異なる環境を想定した販売戦略等を容易に企画して展開できる。
【０１３６】
また、本実施の形態のデータ処理装置１０により提供されるサービスを企業が利用することにより、消費者に対するプロモーションも容易に行うことができる。従来は、企業が消費者にプロモーションを行う場合、企業から消費者に対して一方的に情報を発信しているため、消費者に情報受信に対する拒否感を生じさせていた。そこで、上記「タイケツ」というユーザー参加型の情報交換の場を利用することにより、ユーザー参加型のプロモーションシステムとして容易に利用することが可能である。
【０１３７】
すなわち、上記実施の形態では、ユーザーが自主的に参加する「タイケツ」という場を想定し、環境やシーンに応じた生活の中で表層的に意識する単純な疑問や比べたいといった意識を調査対象として提起させ、この調査対象に興味を持っている人々（つまり、回答意欲のある人々）の意見を収集することができるため、プロモーションコンテンツはユーザーによって自動的に生成される。
【０１３８】
例えば、プロモーションを仕掛けようとする企業が、商品やサービスに関するタイケツを開催することにより、その商品やサービスに対する知識や利用体験をエントリーし、そのエントリーされた文章は自動的に広告用のコンテンツとして転用でき、広告用コンテンツは容易に増加していく。また、エントリーに対して追随する投票者が存在するため、この投票者により口コミが喚起され、商品やサービスに対する知識や利用体験が投票者コミュニティに伝わり共有される。
【０１３９】
従来、企業は、発信したい情報をより効果的に消費者に伝えるために頭を悩ましていたが、本実施の形態のデータ処理装置１０により提供されるサービスを利用することにより、ユーザー自らが広告塔になってプロモーションコンテンツを自動的に生成するようになる。このため、消費者は企業から一方的に伝えられるメッセージより、消費者同士のコミュニティから生成された情報の方に信憑性があると感じ、より効果的に口コミ広告を行うことが可能になる。
【０１４０】
以上のように、本実施の形態のデータ処理装置１０が「タイケツ」という場のサービスサイトを提供することにより、企業と投票者コミュニティとの間に新たに形成される相互関係のイメージを図２３に示して説明する。
図２３に示すように、サイト利用企業が、「タイケツ」サービスサイトを利用して「プロモーション」を消費者に仕掛けると、この「タイケツ」に興味を持った消費者の間で投票者の「コミュニティー」が形成される。この投票者「コミュニティー」は、「タイケツ」のテーマに沿った意見や口コミ情報を「タイケツ」サービスサイトにアップするため、「タイケツ」サービスサイトを提供するサイト提供企業は、投票者「コミュニティー」から「タイケツ」のテーマに沿った意見や口コミ情報を収集することができるとともに、「コミュニティー」を通じてプロモーションコンテンツを自動生成することができる。
【０１４１】
そして、サイト提供企業は、投票者「コミュニティー」から収集した意見や口コミ情報を、消費者の生活感覚に根付いた意識をマーケティングデータとして容易に分析でき、そのマーケティングデータをサイト利用企業に提供することができる。このように、「タイケツ」サービスサイトを利用することにより、サイト利用企業、投票者コミュニティー、及びサイト提供企業の３者間で「プロモーション」→「口コミ効果」→「マーケティングデータの収集」のサイクルを容易に構築できる。
【０１４２】
したがって、「タイケツ」サービスサイトを利用することにより、従来とは異なるプロモーションを容易に展開でき、消費者の口コミ効果も期待でき、従来のアンケート等では収集が困難であった消費者の生活感覚に根付いた意識を含むマーケティング情報を容易に収集できる。
【０１４３】
また、本実施の形態では、データ処理装置１０が１台の汎用コンピュータにより構成される場合を一例として説明したが、これに限定されず、複数台のコンピュータにより構成されることとしてもよい。この場合、複数のコンピュータがＬＡＮ、ＷＡＮ、イントラネット、或いはインターネット等のネットワークを介して通信接続されたコンピュータネットワークシステムにより構成されるものとしてもよい。複数のコンピュータにより構成されるコンピュータネットワークシステムとした場合は、各コンピュータにて処理を分散して行うことができる。
【０１４４】
また、本実施の形態では、ユーザにより設定されるスケジュールの残り時間が３分の２以下となった場合にエントリー期間から投票期間に移行することとしたが、これに限定されず、エントリー期間あるいは投票期間が予め設定されることとしてもよく、エントリー期間と投票期間とをそれぞれ任意に設定できることとしてもよい。
【０１４５】
また、本発明は、上記実施の形態の内容に限定されるものではなく、本発明の主旨を逸脱しない範囲で適宜変更可能である。
【０１４６】
【発明の効果】
請求項１、８記載の発明によれば、例えば、登録者が提起した調査対象に対する回答者の意見等の回答情報やその集計結果を登録者や回答者に提供でき、調査対象を提起した登録者と回答を入力した回答者とで情報を共有することができる。また、回答者からの要求に応じて、調査画面を送信することにより、調査対象に興味を持っている、つまり回答意欲のある回答者の回答を得ることができるようになる。この場合は、回答サンプル数の収集が容易になり、かつ回答者のリアルな意見を収集できる。また、登録者が調査対象情報、比較対象情報、及び評価理由情報を設定することにより、登録者が環境やシーンに応じた生活の中で表層的に意識する単純な疑問や比べたいといった意識を顕示することができる。また、登録者が問いかけたい時期に調査対象を提起することにより、リアルタイムな情報を収集できる。
【０１４７】
また、例えば、登録者が提起した調査対象に対する比較対象や評価理由情報を登録者及び回答者から収集できるので、登録者の意見に偏らずに調査対象に対する複数の回答サンプルを得ることができる。
【０１４８】
請求項２記載の発明によれば、環境やシーンに応じた生活の中で表層的に意識する単純な疑問や比べたいといった意識についての回答を収集することができ、興味深い有効な情報を収集できる。
【０１４９】
請求項３記載の発明によれば、属性情報に対応する回答情報の傾向を容易につかむことができる。例えば、年代、性別、血液型、既婚・未婚、在住地域等の属性情報が一致するまたは類似する回答者の嗜好等を容易に把握できる。
【０１５０】
請求項４記載の発明によれば、回答者や登録者は、興味のある分野についての調査対象に対する回答情報やその集計結果を容易に見つけることができる。
【０１５１】
請求項５記載の発明によれば、例えば、年代、性別、血液型、既婚・未婚、在住地域等の属性情報が一致するまたは類似する回答者の回答情報を分野毎に比較しやすい形で登録者及び回答者に提供できる。
【０１５２】
請求項６記載の発明によれば、例えば、価値情報として、ポイントや特典等を登録者と回答者との間で交換させることにより、回答者の積極的な参加が期待できる。
【０１５３】
請求項７記載の発明によれば、登録者及び回答者に対して興味を持たせ易い情報入力環境を提供できるとともに、従来にないマーケティング情報の収集ツールとして利用することができる。
【図面の簡単な説明】
【図１】本発明を適用したデータ処理サーバを利用したネットワークシステムの全体構成を示す図である。
【図２】データ処理装置１０の内部構成を示すブロック図である。
【図３】記憶装置に記憶される各種ＤＢを示す図である。
【図４】ユーザＤＢ１６１のデータ構成例を示す図である。
【図５】タイケツ情報ＤＢ１６２のデータ構成例を示す図である。
【図６】エントリー情報ＤＢ１６３のデータ構成を示す図である。
【図７】投票情報ＤＢ１６４のデータ構成を示す図である。
【図８】データ処理装置１０において実行される処理を説明するフローチャートである。
【図９】図８に示すフローチャートの続きである。
【図１０】図９に示すフローチャートの続きである。
【図１１】図９に示すフローチャートの続きである。
【図１２】情報収集サイトのメニュー画面Ｇ１を示す図である。
【図１３】情報収集サイトのユーザ登録画面Ｇ２を示す図である。
【図１４】情報収集サイトの画面Ｇ３〜Ｇ８の画面構成例を示す図である。
【図１５】情報収集サイトのタイケツ閲覧画面Ｇ９の画面構成例を示す図である。
【図１６】情報収集サイトの画面Ｇ５及び画面Ｇ１０〜Ｇ１４の画面構成例を示す図である。
【図１７】情報収集サイトの画面Ｇ１１及び画面Ｇ１５〜Ｇ１９の画面構成例を示す図である。
【図１８】情報収集サイトの画面Ｇ１４、Ｇ１９、及びＧ２０の画面構成例を示す図である。
【図１９】情報収集サイトの画面Ｇ２１〜Ｇ３０の画面構成例を示す図である。
【図２０】情報収集サイトの画面Ｇ２３、Ｇ２５、及びＧ３２の画面構成例を示す図である。
【図２１】情報収集サイトの画面Ｇ２３、Ｇ２８、及びＧ３２の画面構成例を示す図である。
【図２２】図２０に示した分類画面Ｇ３１をグラフで表した図である。
【図２３】「タイケツ」という場のサービスサイトの提供により、企業と投票者コミュニティとの間に新たに形成される相互関係のイメージを示す図である。
【符号の説明】
１０  データ処理装置
１１    ＣＰＵ
１２    表示部
１３    入力部
１４    伝送制御部
１５    ＲＡＭ
１６    記憶装置
１６１      ユーザＤＢ
１６２      タイケツ情報ＤＢ
１６３      エントリー情報ＤＢ
１６４      投票情報ＤＢ
１６５      アンケートＤＢ
１７    記録媒体
１８    バス
Ｇ１    メニュー画面
Ｇ２    ユーザ登録画面
Ｇ３    お題作成画面
Ｇ４    作成内容確認画面
Ｇ５    エントリー情報入力画面
Ｇ６    入力内容確認画面
Ｇ７    最終確認画面
Ｇ８    閲覧画面
Ｇ９    タイケツ閲覧画面
Ｇ１０  閲覧画面
Ｇ１１  アンケート入力画面
Ｇ１２  入力内容確認画面
Ｇ１３  完了画面
Ｇ１４  閲覧画面
Ｇ１５  閲覧画面
Ｇ１６  投票内容入力画面
Ｇ１７  入力内容確認画面
Ｇ１８  完了画面
Ｇ１９  閲覧画面
Ｇ２０  結果発表画面
２０  ユーザ端末
１００    ネットワークシステム
Ｎ  通信ネットワーク
【図１】
0004650869.tif 000002
【図２】
0004650869.tif 000003
【図３】
0004650869.tif 000004
【図４】
0004650869.tif 000005
【図５】
0004650869.tif 000006
【図６】
0004650869.tif 000007
【図７】
0004650869.tif 000008
【図８】
0004650869.tif 000009
【図９】
0004650869.tif 000010
【図１０】
0004650869.tif 000011
【図１１】
0004650869.tif 000012
【図１２】
0004650869.tif 000013
【図１３】
0004650869.tif 000014
【図１４】
0004650869.tif 000015
【図１５】
0004650869.tif 000016
【図１６】
0004650869.tif 000017
【図１７】
0004650869.tif 000018
【図１８】
0004650869.tif 000019
【図１９】
0004650869.tif 000020
【図２０】
0004650869.tif 000021
【図２１】
0004650869.tif 000022
【図２２】
0004650869.tif 000023
【図２３】
0004650869.tif 000024